(57)【要約】【課題】様々な用途に使用が可能な取扱い性に優れた可搬型照明装置を提供する。【解決手段】可搬型照明装置１は、装置本体１０と、装置本体１０の正面に配置された太陽電池パネル１３と、太陽電池パネル１３で発電された電力を蓄電する蓄電池４０と、蓄電池４０から電力が供給されることで発光し、装置本体１０の背面から装置本体１０の外部に向けて光を照射する照明ユニット５０と、装置本体１０に回動自在に取付けられ、充電時において装置本体１０を支持するためのスタンドとなり、照明時において装置本体１０を吊り下げるためのアームとなる回動部材２０と、回動部材２０の位置を検出する位置検出部と、位置検出部にて検出された回動部材２０の位置情報に基づいて照明ユニット５０の動作を制御する制御部とを備える。【選択図】図１
2011049098.tif 000002
【特許請求の範囲】
【請求項１】
正面および背面を有する装置本体と、
前記装置本体の前記正面に配置された太陽電池パネルと、
前記装置本体に設けられ、前記太陽電池パネルで発電された電力を蓄電する蓄電池と、
前記装置本体に設けられ、前記蓄電池から電力が供給されることで発光し、前記装置本体の前記背面から前記装置本体の外部に向けて光を照射する照明ユニットと、
前記装置本体に回動自在に取付けられ、充電時において前記装置本体を支持するためのスタンドとなり、照明時において前記装置本体を吊り下げるためのアームとなる回動部材と、
前記回動部材の位置を検出する位置検出部と、
前記位置検出部にて検出された回動部材の位置情報に基づいて前記照明ユニットの動作を制御する制御部とを備えた、可搬型照明装置。
【請求項２】
前記装置本体は、箱状の形状を有し、
前記回動部材が、前記装置本体の相対する側面に取付けられることで前記装置本体回りに回動する、請求項１に記載の可搬型照明装置。
【請求項３】
前記制御部は、前記回動部材が前記装置本体の前記正面側に位置する場合において前記蓄電池から前記照明ユニットに電力が供給されるように制御し、これにより前記照明ユニットを作動させ、前記回動部材が前記装置本体の前記背面側に位置する場合において前記蓄電池から前記照明ユニットに電力が供給されないように制御し、これにより前記照明ユニットの作動を停止させる、請求項１または２に記載の可搬型照明装置。
【請求項４】
前記制御部は、前記回動部材が前記装置本体の前記正面側に位置する場合において前記蓄電池から前記照明ユニットに供給される電力量を前記回動部材の位置に応じて可変に制御し、これにより前記照明ユニットの照度を前記回動部材の位置に応じて可変に調節する、請求項１から３のいずれかに記載の可搬型照明装置。
【請求項５】
充電状態にあるか否かを表示するための充電状態表示部が、前記装置本体の前記正面および前記背面を除く部分の外表面に設けられている、請求項１から４のいずれかに記載の可搬型照明装置。
【請求項６】
前記蓄電池の残量の状態を表示するための残量表示部が、前記装置本体の前記正面および前記背面を除く部分の外表面に設けられている、請求項１から５のいずれかに記載の可搬型照明装置。
【請求項７】
前記蓄電池に蓄電された電力を外部へ出力することを可能にする外部出力端子をさらに備えた、請求項１から６のいずれかに記載の可搬型照明装置。
【請求項８】
前記照明ユニットの動作を前記回動部材の位置によらずに切り替えることを可能にする操作部をさらに備えた、請求項１から７のいずれかに記載の可搬型照明装置。
【請求項９】
前記照明ユニットに含まれる光源が、ＬＥＤである、請求項１から８のいずれかに記載の可搬型照明装置。
【請求項１０】
前記制御部は、前記回動部材が前記装置本体の前記背面側に位置する場合において前記太陽電池パネルにて発電された電力を前記蓄電池に充電する動作を制御し、前記回動部材が前記装置本体の前記正面側に位置する場合において前記太陽電池パネルにて発電された電力を前記蓄電池に充電しないように制御する、請求項１から９のいずれかに記載の可搬型照明装置。
【請求項１１】
前記回動部材は、搬送時において手で持つための把手となる、請求項１から１０のいずれかに記載の可搬型照明装置。
【発明の詳細な説明】
【技術分野】
【０００１】
本発明は、持ち運びが可能に構成された可搬型照明装置に関し、より特定的には、太陽電池パネルを備えた可搬型照明装置に関する。
【背景技術】
【０００２】
従来、太陽電池パネルを具備した可搬型照明装置としては、たとえば実用新案登録第３１０３９９４号公報（特許文献１）に開示のものがある。当該特許文献１に開示の可搬型照明装置は、トランク状の装置本体の正面および背面に太陽電池パネルおよびＬＥＤ（Light-Emitting Diode）照明灯を配置するとともに、装置本体の内部に蓄電池を配置し、装置本体に手提げホルダーやショルダー等を付設して可搬型としたものである。この特許文献１に開示の可搬型照明装置においては、太陽光を太陽電池パネルで受光することで蓄電池に電力が蓄電され、この蓄電池に蓄電された電力がＬＥＤ照明灯に供給されることで当該ＬＥＤ照明灯が周囲を照らすように動作する。
【０００３】
しかしながら、上記特許文献１に開示の可搬型照明装置は、装置本体がトランク状で大型に構成されているため、基本的に床面に載置されて使用されることが予定されたものと考えられる。そのため、照明装置としての機能は、未だ不充分であり、高所から付近を十分に照らすことができるようには構成されていない。また、上記特許文献１には、ＬＥＤ照明灯を装置本体から取り外して使用する使用態様も開示されているが、その場合には装置本体とＬＥＤ照明灯とがコードにて接続されることになり、必ずしも取扱い性がよいものとは言えない。
【先行技術文献】
【特許文献】
【０００４】
【特許文献１】実用新案登録第３１０３９９４号公報
【発明の概要】
【発明が解決しようとする課題】
【０００５】
ところで、近年においては、太陽電池パネルの性能や蓄電池の性能の向上に伴い、装置本体をより小型かつ軽量に構成することが可能になってきている。しかしながら、可搬型照明装置としてその取扱い性に優れたものは未だ存在しておらず、そのため可搬型照明装置の利用はその用途が一部に限定されたものとなってしまっている。
【０００６】
したがって、本発明は、上述の問題点を解決すべくなされたものであり、様々な用途に使用が可能な取扱い性に優れた可搬型照明装置を提供することを目的とする。
【課題を解決するための手段】
【０００７】
本発明に基づく可搬型照明装置は、正面および背面を有する装置本体と、上記装置本体の上記正面に配置された太陽電池パネルと、上記装置本体に設けられ、上記太陽電池パネルで発電された電力を蓄電する蓄電池と、上記装置本体に設けられ、上記蓄電池から電力が供給されることで発光し、上記装置本体の上記背面から上記装置本体の外部に向けて光を照射する照明ユニットと、上記装置本体に回動自在に取付けられ、充電時において上記装置本体を支持するためのスタンドとなり、照明時において上記装置本体を吊り下げるためのアームとなる回動部材と、上記回動部材の位置を検出する位置検出部と、上記位置検出部にて検出された回動部材の位置情報に基づいて上記照明ユニットの動作を制御する制御部とを備えている。
【０００８】
上記本発明に基づく可搬型照明装置にあっては、上記装置本体が、箱状の形状を有していることが好ましく、その場合に、上記回動部材が、上記装置本体の相対する側面に取付けられることで上記装置本体回りに回動することが好ましい。
【０００９】
上記本発明に基づく可搬型照明装置にあっては、上記制御部が、上記回動部材が上記装置本体の上記正面側に位置する場合において上記蓄電池から上記照明ユニットに電力が供給されるように制御し、これにより上記照明ユニットを作動させるとともに、上記回動部材が上記装置本体の上記背面側に位置する場合において上記蓄電池から上記照明ユニットに電力が供給されないように制御し、これにより上記照明ユニットの作動を停止させることが好ましい。
【００１０】
上記本発明に基づく可搬型照明装置にあっては、上記制御部が、上記回動部材が上記装置本体の上記正面側に位置する場合において上記蓄電池から上記照明ユニットに供給される電力量を上記回動部材の位置に応じて可変に制御し、これにより上記照明ユニットの照度を上記回動部材の位置に応じて可変に調節することが好ましい。
【００１１】
上記本発明に基づく可搬型照明装置にあっては、充電状態にあるか否かを表示するための充電状態表示部が、上記装置本体の上記正面および上記背面を除く部分の外表面に設けられていることが好ましい。
【００１２】
上記本発明に基づく可搬型照明装置にあっては、上記蓄電池の残量の状態を表示するための残量表示部が、上記装置本体の上記正面および上記背面を除く部分の外表面に設けられていることが好ましい。
【００１３】
好ましくは、上記本発明に基づく可搬型照明装置は、上記蓄電池に蓄電された電力を外部へ出力することを可能にする外部出力端子をさらに備える。
【００１４】
好ましくは、上記本発明に基づく可搬型照明装置は、上記照明ユニットの動作を上記回動部材の位置によらずに切り替えることを可能にする操作部をさらに備える。
【００１５】
上記本発明に基づく可搬型照明装置にあっては、上記照明ユニットに含まれる光源が、ＬＥＤであることが好ましい。
【００１６】
上記本発明に基づく可搬型照明装置にあっては、上記制御部が、上記回動部材が上記装置本体の上記背面側に位置する場合において上記太陽電池パネルにて発電された電力を上記蓄電池に充電する動作を制御するとともに、上記回動部材が上記装置本体の上記正面側に位置する場合において上記太陽電池パネルにて発電された電力を上記蓄電池に充電しないように制御することが好ましい。
【００１７】
上記本発明に基づく可搬型照明装置にあっては、上記回動部材が、搬送時において手で持つための把手となることが好ましい。
【発明の効果】
【００１８】
本発明によれば、様々な用途に使用が可能な取扱い性に優れた可搬型照明装置とすることができる。
【図面の簡単な説明】
【００１９】
【図１】本発明の実施の形態における可搬型照明装置の正面図である。
【図２】本発明の実施の形態における可搬型照明装置の背面図である。
【図３】本発明の実施の形態における可搬型照明装置の右側面図である。
【図４】本発明の実施の形態における可搬型照明装置の模式断面図である。
【図５】本発明の実施の形態における可搬型照明装置の照明ユニットの構成を示す正面図である。
【図６】本発明の実施の形態における可搬型照明装置の機能ブロックを示す図である。
【図７】本発明の実施の形態における可搬型照明装置が回動部材の位置に応じてどのように動作するかを説明するための模式図である。
【図８】本発明の実施の形態における可搬型照明装置の充電状態を示す図である。
【図９】（Ａ）は、本発明の実施の形態における可搬型照明装置を天井に吊り下げて使用する場合の使用状態を示す図であり、（Ｂ）は、その場合の照明ユニットの動作状態を示す図である。
【図１０】（Ａ）は、本発明の実施の形態における可搬型照明装置を壁面に掛けて使用する場合の使用状態を示す図であり、（Ｂ）は、その場合の照明ユニットの動作状態を示す図である。
【図１１】（Ａ）は、本発明の実施の形態における可搬型照明装置を壁面に掛けて使用する場合の他の使用状態を示す図であり、（Ｂ）は、その場合の照明ユニットの動作状態を示す図である。
【図１２】（Ａ）は、本発明の実施の形態における可搬型照明装置を壁面に掛けて使用する場合のさらに他の使用状態を示す図であり、（Ｂ）は、その場合の照明ユニットの動作状態を示す図である。
【発明を実施するための形態】
【００２０】
以下、本発明の一実施の形態について、図を参照して詳細に説明する。なお、以下に示す実施の形態における可搬型照明装置は、昼間において太陽光を受光することで充電を行い、夜間において屋内または野外において照明装置として使用されることが企図されたものであり、各種レジャー用や被災時用として使用されるのみならず、建設現場や工事現場での使用、家庭での日常の使用等にまでその利用範囲が見込めるように構成されたものである。
【００２１】
図１は、本発明の実施の形態における可搬型照明装置の正面図であり、図２は、図１に示す可搬型照明装置の背面図である。また、図３は、図１に示す可搬型照明装置の右側面図であり、図４は、図１および図２に示すＩＶ−ＩＶ線に沿った可搬型照明装置の模式断面図である。また、図５は、図１に示す可搬型照明装置の照明ユニットの構成を示す正面図である。まず、これら図１ないし図５を参照して、本実施の形態における可搬型照明装置の構造について説明する。
【００２２】
図１ないし図４に示すように、本発明の実施の形態における可搬型照明装置１は、箱状に形成された装置本体１０と、装置本体１０に回動自在に取付けられた回動部材２０とを備えている。装置本体１０は、持ち運びが容易となるように小型化および軽量化が十分に図られている。なお、装置本体１０としては、より小型かつ軽量であることが好ましいが、性能の観点や持ち運びの容易さの観点から、その外形は、おおよそ高さ２５ｃｍ〜３０ｃｍ程度、幅３５ｃｍ〜４０ｃｍ程度、奥行き５ｃｍ〜１０ｃｍ程度とされ、その重量は、おおよそ２．５〜３．０ｋｇ程度とされる。
【００２３】
装置本体１０は、枠状に構成されることで装置本体１０の上面、下面、右側面および左側面を構成するフレーム１１と、当該フレーム１１に取付けられた平板状のシャーシ１２とを備えている。これらフレーム１１およびシャーシ１２は、耐候性および剛性に優れた比較的軽量の部材にて構成されることが好ましく、たとえばアルミニウム合金やステンレス合金等の金属製の部材や、ＡＢＳ（Acrylonitrile Butadiene Styrene）等の樹脂製の部材にて構成される。なお、フレーム１１とシャーシ１２の固定には、溶接やビス留め等が好適に利用される。
【００２４】
装置本体１０の前面には、太陽光を受光することで発電する太陽電池パネル１３が配置されている。より詳細には、太陽電池パネル１３は、フレーム１１に取付けられたシャーシ１２の前面を覆うように当該フレーム１１およびシャーシ１２に固定されており、装置本体１０の前面において露出している。なお、太陽電池パネル１３の露出面は、太陽電池セルの破損を防止する観点から、透光性の強化プラスチックや強化ガラス等によって覆われていることが好ましい。また、太陽電池パネル１３のフレーム１１およびシャーシ１２への固定には、貼着や接着、嵌め込み、ビス留め等が好適に利用される。
【００２５】
一方、装置本体１０の背面には、後述する照明ユニット５０から照射される光の放射強度を均一化するカバーレンズ１４が配置されている。より詳細には、カバーレンズ１４は、フレーム１１に取付けられたシャーシ１２の背面と距離をもって当該シャーシ１２の背面に対向配置されてフレーム１１に固定されており、装置本体１０の背面において露出している。なお、カバーレンズ１４としては、軽量化の観点から、透光性の樹脂材料を原料とした射出成形品が利用されることが好ましい。また、カバーレンズ１４のフレーム１１への固定には、接着や嵌め込み、ビス留め等が好適に利用される。
【００２６】
装置本体１０の内部の空間には、太陽電池パネル１３で発電された電力を蓄電する蓄電池４０と、蓄電池４０から電力が供給されることで発光する照明ユニット５０と、当該可搬型照明装置１の全体を制御する制御部３１（図６参照）を含むコントロールユニット３０とが配置されている。
【００２７】
コントロールユニット３０は、装置本体１０の内部の空間のうちの上部に配置されており、フレーム１１に取付けられたシャーシ１２の背面側にたとえばビス留め等によって固定されている。コントロールユニット３０は、箱状のケースと、箱状のケースによって覆われた回路基板とを含んでおり、このうちの回路基板に上述した制御部３１や後述する各種回路３２，３３等が設けられている。
【００２８】
蓄電池４０は、装置本体１０の内部の空間のうちの下部に配置されており、フレーム１１の底部にたとえばビス留め等によって固定されている。蓄電池４０としては、たとえばリチウムイオン電池やニッケル水素電池、ニッケルカドミウム電池、鉛電池等が利用可能である。
【００２９】
照明ユニット５０は、装置本体１０の内部の空間のうちの略中央部に配置されており、フレーム１１に取付けられたシャーシ１２の背面側にたとえばビス留め等によって固定されている。図５に示すように、照明ユニット５０は、平板状の支持板５１と、当該支持板５１に取付けられた複数の回路基板５２と、当該回路基板５２の表面に実装された複数のＬＥＤ５３とを含んでいる。
【００３０】
平板状の支持板５１は、シャーシ１２の背面に対向して配置されており、これにより支持板５１の背面は、上述したカバーレンズ１４に対向している（図４参照）。回路基板５２は、細長い略直方形のプリント配線基板からなり、支持板５１の背面側に固定されている。複数の回路基板５２の各々は、その長手方向が装置本体１０の左右方向に合致するように支持板５１の縦方向に沿って順に並べて配置されている。複数のＬＥＤ５３は、可搬型照明装置１の光源となるものであり、複数の回路基板５２の各々の表面に長手方向に沿ってそれぞれ複数個ずつ配置されている。
【００３１】
以上により、ＬＥＤ５３は、支持板５１の背面上においてアレイ状に配置されることになり、ＬＥＤ５３が発光すること出射された光は、装置本体１０の背面に配置されたカバーレンズ１４を介して装置本体１０の外部に向けて照射されることになる。これにより、照明ユニット５０は、全体として面光源として機能することになり、その照明範囲が広範囲に確保されることになる。なお、ＬＥＤ５３としては、好適に白色発光ダイオードが使用される。
【００３２】
ここで、支持板５１の縦方向（すなわち、装置本体の上下方向）に沿って順に並べて配置される複数の回路基板５２のそれぞれに実装されたＬＥＤ５３の組みを、上から順に第１列、第２列、第３列、第４列と規定する。本実施の形態における可搬型照明装置１においては、個々の列に含まれるＬＥＤ５３が直列に接続されることにより、当該列に含まれる複数個のＬＥＤ５３は一体的に動作し、またそれぞれの列は、個別にその動作が制御可能にされている。
【００３３】
図１ないし図４に示すように、回動部材２０は、一対のヒンジ２１によって装置本体１０に回動自在に取付けられている。より詳細には、一対のヒンジ２１は、それぞれが装置本体１０の左右の側面の略中央部に位置しており、この部分において回動部材２０の端部を回動自在に支持している。これにより、回動部材２０の回動軸は、装置本体１０の前面と平行に配置されることになり、回動部材２０は、図３に示すように矢印Ａ１およびＡ２方向に向けて装置本体１０回りに回動することになる。なお、回動部材２０は、その回動範囲内の所定位置または任意の位置において、ロックされるように構成されていることが好ましい。また、回動部材２０としては、耐候性および剛性に優れた比較的軽量の部材にて構成されることが好ましく、たとえばアルミニウム合金やステンレス合金等の金属製の部材や、ＡＢＳ等の樹脂製の部材にて構成される。
【００３４】
また、装置本体１０の右側面には、照明ユニット５０の動作を切り替えることを可能にする操作部１５と、当該可搬型照明装置１の動作状態等を表示する表示部１６が設けられている。操作部１５は、たとえば押しボタン等によって構成され、表示部１６は、たとえばＬＥＤ等によって構成される。表示部１６は、可搬型照明装置１が充電状態にあるか否かを表示するための充電状態表示部１６ａと、蓄電池４０の残量の状態を表示するための残量表示部１６ｂとを含んでいる。ここで、表示部１６は、装置本体１０の正面および背面を除く部分の外表面である右側面に配置されているため、ユーザは、太陽光の反射の影響や照明の影響を受けずに良好に表示部１６を視認することができる。
【００３５】
また、装置本体１０の左側面には、蓄電池４０に蓄電された電力を外部に出力することを可能にする外部出力端子１７が設けられている。外部出力端子１７は、たとえばコンセントであってもよいし、携帯電話の充電用のソケットであってもよい。
【００３６】
なお、装置本体１０の内部の空間には、遮光シートが配置されていてもよい。当該遮光シートは、カバーレンズ１４の前方であってかつシャーシ１２の後方に配置されることが好ましく、照明ユニット５０の背面側を除く部分に配置され、照明ユニット５０が設けられた部分を除く装置本体１０の内部の構成がカバーレンズ１４を介して視認できないように目隠しするためのものである。
【００３７】
図６は、図１ないし図４に示す可搬型照明装置の機能ブロックを示す図である。次に、この図６を参照して、本実施の形態における可搬型照明装置の機能ブロックの構成について説明する。
【００３８】
図６に示すように、本実施の形態における可搬型照明装置１は、上述した太陽電池パネル１３、蓄電池４０、ＬＥＤ５３、操作部１５、表示部１６、外部出力端子１７および制御部３１に加え、充電回路３２、放電回路３３、蓄電池残量検出部３４および回動部材位置検出部３５を備えている。
【００３９】
充電回路３２は、太陽電池パネル１３で発電された電力を制御部３１の指令に基づいて蓄電池４０に充電するための回路である。より詳細には、充電回路３２は、太陽電池パネル１３の発電電圧が一定値以上に達した場合に当該発電された電力を蓄電池４０に送ることで蓄電池４０の充電を行い、太陽電池パネル１３の発電電圧が上記一定値未満となった場合に蓄電池４０の充電を停止する。また、充電回路３２は、蓄電池４０が満充電された場合に蓄電池４０の過充電を防止すべく蓄電池４０の充電を停止し、蓄電池４０の電圧が一定値以下になった場合に蓄電池４０の充電の停止を解除して充電を再開する。また、充電回路３２は、太陽電池パネル１３から蓄電池４０に送られる電力が過電流状態となることを防止する過電流保護回路や、蓄電池４０から太陽電池パネル１３への電流の逆流を防止する逆流防止回路等を含んでいてもよい。
【００４０】
放電回路３３は、蓄電池４０に蓄電された電力を制御部３１の指令に基づいて照明ユニット５０および外部出力端子１７に供給するための回路である。より詳細には、放電回路３３は、蓄電池４０の電圧が一定値以上である場合に制御部３１の指令に基づいて蓄電池４０に蓄電された電力を照明ユニット５０または／および外部出力端子１７に供給し、蓄電池４０の電圧が一定値未満である場合に過放電を防止すべく照明ユニット５０または／および外部出力端子１７に対する蓄電池４０からの電力の供給を停止する。また、放電回路３３は、外部出力端子１７から蓄電池４０への電流の逆流を防止する逆流防止回路等を含んでいてもよい。
【００４１】
蓄電池残量検出部３４は、蓄電池４０の電圧を検知することで蓄電池４０に蓄電された電力の残量がどの程度であるかを検出し、当該残量の情報を制御部３１に出力する部位である。回動部材位置検出部３５は、回動部材２０の位置がどの位置にあるかを検出し、当該位置情報を制御部３１に出力する部位である。なお、回動部材位置検出部３５としては、回動部材２０の位置を特定可能に配置したタクトスイッチや光電センサ、ロータリエンコーダ、加速度センサ等が利用可能である。
【００４２】
操作部１５は、上述しように照明ユニット５０の動作を切り替えるための部位であり、具体的には、ユーザが操作部１５を操作した場合にこれを制御部３１に出力する。表示部１６は、上述したように可搬型照明装置１が充電状態にあるか否かや蓄電池４０の残量の状態を表示するための部位であり、具体的には、可搬型照明装置１が充電状態にあるか否かを充電状態表示部１６ａの点灯／非点灯で表示し、蓄電池４０の残量をその残量に応じた残量表示部１６ｂの点灯数にて表示する。
【００４３】
制御部３１は、上述したように可搬型照明装置１の全体を制御する部位であり、太陽電池パネル１３からの発電電圧の情報や蓄電池残量検出部３４からの残量の情報、回動部材位置検出部３５からの位置情報、操作部１５からのユーザの操作の有無の情報等の入力を受け、これに基づいて充電回路３２や放電回路３３、照明ユニット５０、表示部１６の動作の制御を行なう。ここで、本実施の形態における可搬型照明装置１においては、制御部３１が、特に回動部材２０の位置情報に基づいて太陽電池パネル１３および照明ユニット５０に代表される機能ブロックの動作を制御することを特徴としている。
【００４４】
図７は、本実施の形態における可搬型照明装置が回動部材の位置に応じてどのように動作するかを説明するための模式図である。図８は、本実施の形態における可搬型照明装置の充電状態を示す図である。図９（Ａ）は、本実施の形態における可搬型照明装置を天井に吊り下げて使用する場合の使用状態を示す図であり、図９（Ｂ）は、その場合の照明ユニットの動作状態を示す図である。図１０（Ａ）は、本実施の形態における可搬型照明装置を壁面に掛けて使用する場合の使用状態を示す図であり、図１０（Ｂ）は、その場合の照明ユニットの動作状態を示す図である。図１１（Ａ）は、本発明の実施の形態における可搬型照明装置を壁面に掛けて使用する場合の他の使用状態を示す図であり、図１１（Ｂ）は、その場合の照明ユニットの動作状態を示す図である。図１２（Ａ）は、本発明の実施の形態における可搬型照明装置を壁面に掛けて使用する場合のさらに他の使用状態を示す図であり、図１２（Ｂ）は、その場合の照明ユニットの動作状態を示す図である。次に、図７を参照して、回動部材の位置と各機能ブロックの動作との関係について説明するとともに、図９ないし図１２を参照して、本実施の形態における可搬型照明装置の充電状態および使用状態について説明する。
【００４５】
図７に示すように、本実施の形態における可搬型照明装置１においては、回動部材２０が装置本体１０の上面に対向した位置にある場合を基準位置とし、回動部材２０の回動方向に沿って図中矢印Ａ１方向を正方向、図中矢印Ａ２方向を負方向とした場合に、回動部材２０が、上記基準位置を含む８つの位置を採り得るように構成されている。すなわち、回動部材２０は、回動可能範囲内においてこの８つの位置において段階的に固定され得るように構成されている。
【００４６】
まず、図７に示すように、回動部材２０の角度が０°である基準位置は、可搬型照明装置１を搬送する場合に回動部材２０が採るべき搬送用固定位置であり、当該搬送用固定位置に回動部材２０が位置する場合には、回動部材２０が手で持つための把手となる。この搬送用固定位置に回動部材２０が位置した状態においては、制御部３１は、放電回路３３および照明ユニット５０の動作を制御することでＬＥＤ５３を消灯させ、照明をオフの状態にする。なお、この状態においては、制御部３１が充電回路３２の動作を制御することで太陽電池パネル１３にて発電された電力を蓄電池４０に充電するようにしてもよいし、当該充電を行なわないようにしてもよい。ただし、充電を行なうようにした場合にも、太陽電池パネル１３の発電電圧が一定値以下である場合や、蓄電池４０が満充電された状態にある場合には、充電動作は行なわない。
【００４７】
次に、図７に示すように、回動部材２０の角度が−９０°である位置は、太陽電池パネル１３に太陽光を受光させて蓄電池４０の充電動作を行なう充電用固定位置であり、当該充電用固定位置に回動部材２０が位置する場合には、図８に示すように、回動部材２０が装置本体１０を支持するためのスタンドとなる。すなわち、当該状態においては、回動部材２０が装置本体１０の背面に対向した位置にあるため、回動部材２０が床面１００（地表面であってもよい）に接触するように可搬型照明装置１を載置することにより、太陽電池パネル１３は、傾斜配置されて太陽光の受光に適した方向を向くことになる。
【００４８】
この充電用固定位置に回動部材２０が位置した状態においては、制御部３１は、放電回路３３および照明ユニット５０の動作を制御することでＬＥＤ５３を消灯させ、照明をオフの状態にするとともに、充電回路３２の動作を制御することで太陽電池パネル１３にて発電された電力を蓄電池４０に充電する。また、その際、制御部３１は、表示部１６の充電状態表示部１６ａを点灯させることで、充電動作中であることをユーザに報知する。なお、回動部材２０が上記充電用固定位置にある場合にも、太陽電池パネル１３の発電電圧が一定値以下である場合や、蓄電池４０が満充電された状態にある場合には、充電動作は行なわない。
【００４９】
次に、図７に示すように、回動部材２０の角度が＋９０°である位置は、可搬型照明装置１を天井から吊り下げて照明として使用する場合の天上吊り下げ用固定位置であり、当該天井吊り下げ用固定位置に回動部材２０が位置する場合には、図９（Ａ）に示すように、回動部材２０が天井２００に設けられた係止具２０１に引っ掛けられるアームとなる。すなわち、当該状態においては、回動部材２０が装置本体１０の前面に対向した位置にあるため、回動部材２０を係止具２０１に引っ掛けることにより、装置本体１０の背面が鉛直下方を向くことになる。
【００５０】
この天上吊り下げ用固定位置に回動部材２０が位置した状態においては、制御部３１は、放電回路３３および照明ユニット５０の動作を制御することでＬＥＤ５３を点灯させ、照明をオンの状態にする。その際、上述したように回動部材２０が天上吊り下げ用固定位置にある場合には、装置本体１０の背面が鉛直下方を向くことになるため、より広範囲を照明することが好ましく、図９（Ｂ）に示すように、第１列ないし第４列のすべてのＬＥＤ５３を点灯させることで１００％の出力での照明を行なう。なお、この状態においては、制御部３１が充電回路３２の動作を制御することで充電を行なわないようにする。
【００５１】
次に、図７に示すように、回動部材２０の角度が＋３０°である位置は、可搬型照明装置１を壁面に掛けて照明として使用する場合の壁掛け用第１固定位置であり、当該壁掛け用第１固定位置に回動部材２０が位置する場合には、図１０（Ａ）に示すように、回動部材２０が壁面３００に設けられた係止具３０１に引っ掛けられるアームとなる。すなわち、当該状態においては、回動部材２０が装置本体１０の前面の上端部寄りの上部に対向した位置にあるため、回動部材２０を係止具３０１に引っ掛けることにより、装置本体１０の背面が水平方向より僅かに下方を向くことになる。
【００５２】
この壁掛け用第１固定位置に回動部材２０が位置した状態においては、制御部３１は、放電回路３３および照明ユニット５０の動作を制御することでＬＥＤ５３を点灯させ、照明をオンの状態にする。その際、上述したように回動部材２０が壁掛け用第１固定位置にある場合には、装置本体１０の背面が水平方向より僅かに下方を向くことになるため、斜め上方に向けての照明は不要となり、図１０（Ｂ）に示すように、第１列のＬＥＤ５３は消灯させて第２列ないし第４列のＬＥＤ５３のみを点灯させることで７５％の出力での照明を行なう。なお、この状態においては、制御部３１が充電回路３２の動作を制御することで充電を行なわないようにする。
【００５３】
次に、図７に示すように、回動部材２０の角度が＋６０°である位置は、可搬型照明装置１を壁面に掛けて照明として使用する場合の壁掛け用第２固定位置であり、当該壁掛け用第２固定位置に回動部材２０が位置する場合には、図１１（Ａ）に示すように、回動部材２０が壁面３００に設けられた係止具３０１に引っ掛けられるアームとなる。すなわち、当該状態においては、回動部材２０が装置本体１０の前面の中央部寄りの上部に対向した位置にあるため、回動部材２０を係止具３０１に引っ掛けることにより、装置本体１０の背面が水平方向より大きく下方を向くことになる。
【００５４】
この壁掛け用第２固定位置に回動部材２０が位置した状態においては、制御部３１は、放電回路３３および照明ユニット５０の動作を制御することでＬＥＤ５３を点灯させ、照明をオンの状態にする。その際、上述したように回動部材２０が壁掛け用第２固定位置にある場合には、装置本体１０の背面が水平方向より大きく下方を向くことになるため、斜め上方に向けての照明は回動部材２０が上記壁掛け用第１固定位置にある場合よりもさらに不要となり、図１１（Ｂ）に示すように、第１列および第２列のＬＥＤ５３は消灯させて第３列および第４列のＬＥＤ５３のみを点灯させることで５０％の出力での照明を行なう。なお、この状態においては、制御部３１が充電回路３２の動作を制御することで充電を行なわないようにする。
【００５５】
次に、図７に示すように、回動部材２０の角度が＋１８０°である位置は、可搬型照明装置１を壁面に掛けて照明として使用する場合の壁掛け用第３固定位置であり、当該壁掛け用第３固定位置に回動部材２０が位置する場合には、図１２（Ａ）に示すように、回動部材２０が壁面３００に設けられた係止具３０１に引っ掛けられるアームとなる。すなわち、当該状態においては、回動部材２０が装置本体１０の下面に対向した位置にあるため、回動部材２０を係止具３０１に引っ掛けることにより、装置本体１０の背面が水平方向を向くことになる。
【００５６】
この壁掛け用第３固定位置に回動部材２０が位置した状態においては、制御部３１は、放電回路３３および照明ユニット５０の動作を制御することでＬＥＤ５３を点灯させ、照明をオンの状態にする。その際、上述したように回動部材２０が壁掛け用第３固定位置にある場合には、装置本体１０の背面が水平方向を向くことになるため、より広範囲を照明することが好ましく、図１２（Ｂ）に示すように、第１列ないし第４列のすべてのＬＥＤ５３を点灯させることで１００％の出力での照明を行なう。なお、この状態においては、制御部３１が充電回路３２の動作を制御することで充電を行なわないようにする。
【００５７】
次に、図７に示すように、回動部材２０の角度が＋１５０°である位置は、可搬型照明装置１を壁面に掛けて照明として使用する場合の壁掛け用第４固定位置であり、当該壁掛け用第４固定位置に回動部材２０が位置する場合には、回動部材２０が壁面に設けられた係止具に引っ掛けられるアームとなる。なお、回動部材２０がこの壁掛け用第４固定位置にある場合は、回動部材２０が上述した壁掛け用第１固定位置にある場合と天地が逆になるのみであるため、その詳細な説明は省略するが、この場合、第１列から第３列のＬＥＤ５３が点灯され、第４列のＬＥＤ５３は消灯されることになる。
【００５８】
次に、図７に示すように、回動部材２０の角度が＋１２０°である位置は、可搬型照明装置１を壁面に掛けて照明として使用する場合の壁掛け用第５固定位置であり、当該壁掛け用第５固定位置に回動部材２０が位置する場合には、回動部材２０が壁面に設けられた係止具に引っ掛けられるアームとなる。なお、回動部材２０がこの壁掛け用第５固定位置にある場合は、回動部材２０が上述した壁掛け用第２固定位置にある場合と天地が逆になるのみであるため、その詳細な説明は省略するが、この場合、第１列および第２列のＬＥＤ５３が点灯され、第３列および第４列のＬＥＤ５３は消灯されることになる。
【００５９】
なお、上述したように、本実施の形態における可搬型照明装置１においては、照明ユニット５０の動作を切り替えることを可能にする操作部１５が設けられている。当該操作部１５は、上述した回動部材２０の位置によらず照明ユニット５０の動作を切り替えることができるものであり、この操作部１５が操作された場合には、制御部３１は、上述した制御部３１の動作に優先してユーザの指令に従った制御を行なう。
【００６０】
以上において説明した本実施の形態における可搬型照明装置１とすることにより、回動部材２０の位置に応じて可搬型照明装置１に含まれる照明ユニット５０等の動作が制御されることになる。そのため、回動部材２０を操作することでその使用態様に応じたモードの切り替えが自動的になされるようになるため、取扱い性に優れた可搬型照明装置１とすることができる。したがって、その用途が従来の可搬型照明装置に比べて飛躍的に広がることになり、各種レジャー用や被災時用として使用されるのみならず、建設現場や工事現場での使用、家庭での日常の使用等にまでその利用範囲が見込めることになる。
【００６１】
また、上述した本実施の形態における可搬型照明装置１とすることにより、照明出力が自動的に調節されて省エネルギー化が図られることにもなる。特に、本実施の形態における可搬型照明装置１においては、太陽電池パネル１３にて発電された電力を照明ユニット５０の電源として使用しているため、上記構成を採用することにより、電力をより効率よく使用することで、使用中に電力不足が生じて使用ができなくなるといった事態や充電を頻繁に行なう必要が生じるといった事態の発生を未然に防止することができる。
【００６２】
なお、上述した本実施の形態においては、複数のＬＥＤ群の点灯／非点灯を個別に制御することで照度を調節するように構成した場合を例示したが、他の方法を用いて照度の調節を行なうようにしてもよい。たとえば、ＬＥＤがＰＷＭ（Pulse Width Modulation）制御によって発光するように構成しておき、必要に応じてデューティ比を調節することで照度を調節するようにしてもよい。
【００６３】
また、上述した本実施の形態においては、回動部材の位置に応じてＬＥＤの照度が調節されるように構成した場合を例示したが、必ずしもこのように構成する必要はなく、単に回動部材の位置に応じてＬＥＤがすべて点灯／消灯するように構成してもよい。
【００６４】
また、上述した本実施の形態においては、ＬＥＤの点灯時において充電動作が行なわれないように構成した場合を例示したが、必ずしもこのように構成する必要はなく、ＬＥＤの点灯時においても充電動作が行なわれるように構成してもよい。
【００６５】
また、上述した本実施の形態においては、回動部材の位置が段階的に固定されるように構成した場合を例示したが、回動部材の位置が任意の位置で固定されるようにしてもよい。その場合には、回動部材の回動可能範囲を所定の角度ごとに区分し、区分された範囲内に回動部材が位置する場合に、照明ユニット等がその範囲に応じた動作を行なうように構成すればよい。
【００６６】
なお、上述した本実施の形態において示した回動部材の位置と照明ユニット５０等の動作との関係はあくまでも本発明を適用した場合の一例であり、装置本体の形状、回動部材の形状、装置本体に対する回動部材の取付け位置、照明ユニットの構成等に応じて適宜変更が可能である。
【００６７】
このように、今回開示した上記一実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００６８】
１  可搬型照明装置、１０  装置本体、１１  フレーム、１２  シャーシ、１３  太陽電池パネル、１４  カバーレンズ、１５  操作部、１６  表示部、１６ａ  充電状態表示部、１６ｂ  残量表示部、１７  外部出力端子、２０  回動部材、２１  ヒンジ、３０  コントロールユニット、３１  制御部、３２  充電回路、３３  放電回路、３４  蓄電池残量検出部、３５  回動部材位置検出部、４０  蓄電池、５０  照明ユニット、５１  支持板、５２  回路基板、５３  ＬＥＤ、１００  床面、２００  天井、２０１  係止具、３００  壁面、３０１  係止具。
【図１】
2011049098.tif 000003
【図２】
2011049098.tif 000004
【図３】
2011049098.tif 000005
【図４】
2011049098.tif 000006
【図５】
2011049098.tif 000007
【図６】
2011049098.tif 000008
【図７】
2011049098.tif 000009
【図８】
2011049098.tif 000010
【図９】
2011049098.tif 000011
【図１０】
2011049098.tif 000012
【図１１】
2011049098.tif 000013
【図１２】
2011049098.tif 000014